(57)【要約】本発明は、第１プラグ側端部（１０）と第２プラグ側端部（１２）とを有するプラグアダプタに関連し、第１機械的インタフェース形状と少なくとも一つの第１内側導体部品（１４）および少なくとも一つの第１外側導体部品（１６）とを有する第１電気的インタフェースとして第１プラグ側端部（１０）が設計されて、第２機械的インタフェース形状と少なくとも一つの第２内側導体部品（１８）および少なくとも一つの第２外側導体部品（２０）とを有する第２電気的インタフェースとして第２プラグ側端部（１２）が設計され、第１および第２機械的インタフェース形状が異なる設計を有する。本発明によれば、相互一体的である少なくとも一つのそれぞれの第１内側導体部品（１４）と一つのそれぞれの第２内側導体部品（１８）とを備える設計をプラグアダプタが持つ。
2013510410.tif 000002
【特許請求の範囲】
【請求項１】
第１プラグ側端部（１０）と第２プラグ側端部（１２）とを有するプラグアダプタであって、前記第１プラグ側端部（１０）が、第１機械的インタフェース形状と少なくとも一つの第１内側導体部品（１４）および少なくとも一つの第１外側導体部品（１６）とを有する第１電気的インタフェースとして構成され、前記第２プラグ側端部（１２）が、第２機械的インタフェース形状と少なくとも一つの第２内側導体部品（１８）および少なくとも一つの第２外側導体部品（２０）とを有する第２電気的インタフェースとして構成されており、前記第１および第２機械的インタフェース形状が異なる設計を有するプラグアダプタにおいて、少なくとも一つの第１内側導体部品（１４）と一つの第２内側導体部品（１８）とがそれぞれ相互一体的に構成されることを特徴とする、プラグアダプタ。
【請求項２】
それぞれ少なくとも一つの第１外側導体部品（１６）と一つの第２外側導体部品（２０）とが相互一体的に構成されることを特徴とする、請求項１に記載のプラグアダプタ。
【請求項３】
前記第１および第２電気的インタフェースの各々が４本の内側導体部品（１４，１８）を包含し、前記第１インタフェースの前記４本の第１内側導体部品（１４）の各々が前記第２インタフェースの第２内側導体部品（１８）の一つとそれぞれ相互一体的に構成されることを特徴とする、請求項１〜２の少なくとも一つに記載のプラグアダプタ。
【請求項４】
前記第１および第２電気的インタフェースが同数の内側導体部品（１４，１８）を有することを特徴とする、請求項１〜３の少なくとも一つに記載のプラグアダプタ。
【請求項５】
前記第１電気的インタフェースが、それぞれ第１プラグ側端部（２４）を備えるＮ１本の内側導体部品（１４）を包含して、Ｎ１≧３、特にＮ１＝４であり、前記第１内側導体部品（１４）の前記第１プラグ側端部（２４）が、一平面上において辺がＮ１本の多角形の角に配設されることを特徴とする、請求項１〜４の少なくとも一つに記載のプラグアダプタ。
【請求項６】
断面が円形または楕円形に構成された第１外側導体部品（１６）を、前記第１電気的インタフェースが包含することを特徴とする、請求項１〜５の少なくとも一つに記載のプラグアダプタ。
【請求項７】
前記第２電気的インタフェースが、それぞれの第２プラグ側端部（２６）を備えるＮ２本の内側導体部品（１８）を包含してＮ２≧３、特にＮ２＝４であり、前記第２内側導体部品（１８）の前記第２プラグ側端部（２６）が一平面上において直線状に配設されることを特徴とする、請求項１〜６の少なくとも一つに記載のプラグアダプタ。
【請求項８】
断面が矩形または多角形である第２外側導体部品（２０）を前記第２電気的インタフェースが有することを特徴とする、請求項１〜７の少なくとも一つに記載のプラグアダプタ。
【請求項９】
前記第１電気的インタフェースがＨＳＤ（ｈｉｇｈ  ｓｐｅｅｄ  ｄａｔａ：高速データ）インタフェースとして構成されることを特徴とする、請求項１〜８の少なくとも一つに記載のプラグアダプタ。
【請求項１０】
前記第２電気的インタフェースがＵＳＢ（ｕｎｉｖｅｒｓａｌ  ｓｅｒｉａｌ  ｂｕｓ：汎用シリアルバス）インタフェースとして構成されることを特徴とする、請求項１〜９の少なくとも一つに記載のプラグアダプタ。
【請求項１１】
少なくとも一つの第１内側導体部品（１４）が前記プラグ側端部（２４）においてピンとして構成されることを特徴とする、請求項１〜１０の少なくとも一つに記載のプラグアダプタ。
【請求項１２】
少なくとも一つの第２内側導体部品（１８）がプラグ側端部（２６）においてばね金属シート部品として構成されることを特徴とする、請求項１〜１１の少なくとも一つに記載のプラグアダプタ。
【請求項１３】
少なくとも一つの一体的内側導体部品がプレス曲げ部品としての第１内側導体部品（１４）および第２内側導体部品（１８）で構成されることを特徴とする、請求項１〜１２の少なくとも一つに記載のプラグアダプタ。
【請求項１４】
前記第１内側導体部品（１４）が中に保持されるとともに前記第１外側導体部品（１６）の中に配設される第１絶縁体（２８）を、前記第１インタフェースが包含することを特徴とする、請求項１〜１３の少なくとも一つに記載のプラグアダプタ。
【請求項１５】
前記第２内側導体部品（１８）が中に保持されるとともに前記第２外側導体部品（２０）の中に配設される第２絶縁体（３０）を、前記第２インタフェースが包含することを特徴とする、請求項１〜１４の少なくとも一つに記載のプラグアダプタ。
【発明の詳細な説明】
【技術分野】
【０００１】
本発明は、第１プラグ側端部と第２プラグ側端部とを有するプラグアダプタであって、第１プラグ側端部が、第１機械的インタフェース形状と少なくとも一つの第１内側導体部品および少なくとも一つの第１外側導体部品とを有する第１電気的インタフェースとして構成され、第２プラグ側端部が、第２機械的インタフェース形状と少なくとも一つの第２内側導体部品および少なくとも一つの第２外側導体部品とを有する第２電気的インタフェースとして構成されており、第１および第２機械的インタフェース形状が異なる設計を有する、請求項１の前文(preamble)に記載のプラグアダプタに関連する。
【背景技術】
【０００２】
ＨＳＤ回路基板プラグ（ＨＳＤ‐ｈｉｇｈ  ｓｐｅｅｄ  ｄａｔａ：高速データ）とＵＳＢ回路基板プラグ（ＵＳＢ‐ｕｎｉｖｅｒｓａｌ  ｓｅｒｉａｌ  ｂｕｓ：汎用シリアルバス）とを回路基板（ＰＣＢ‐ｐｒｉｎｔｅｄ  ｃｉｒｃｕｉｔ  ｂｏａｒｄ：プリント回路基板）に配設することと、回路基板を介してプラグを互いに電気接続することとは周知である。このようにして、ＨＳＤインタフェースからＵＳＢインタフェースへのアダプタが利用可能になる。
【発明の概要】
【発明が解決しようとする課題】
【０００３】
一つの電気的インタフェースから幾何学的に異なる構成を持つインタフェースへの変換が簡単かつ機能的に確実な手法で可能となるという点で上述のタイプのプラグアダプタを改良することが、本発明の目的である。
【課題を解決するための手段】
【０００４】
請求項１の特徴を有する上述のタイプのプラグアダプタにより、本発明に従ってこの目標が達成される。本発明の有利な実施形態は別の請求項に記載される。
【０００５】
このタイプのプラグアダプタでは、各事例において少なくとも一つの第１内側導体部品と一つの第２内側導体部品とが相互一体的な構成が、本発明において提供される。
【０００６】
これは、信号伝送が改良された特に経済的で製造が簡単なプラグアダプタが提供されるという長所を有する。
【０００７】
少なくとも一つの第１外側導体部品と一つの第２外側導体部品とが相互一体的に構成されることで、信号導体の連続スクリーニングを用いた信号伝送のさらなる改良が達成される。
【０００８】
第１および第２電気的インタフェースの各々が４本の内側導体部品を包含し、第１インタフェースの４本の第１内側導体部品の各々が第２インタフェースの第２内側導体部品の一つとそれぞれ相互一体的に構成されることで、一般的な利用が特に可能なプラグアダプタが得られる。
【０００９】
第１および第２電気的インタフェースが同数の内側導体部品を有することで、プラグアダプタのプラグ側端部の間での特に簡単で直接的な信号伝送が達成される。
【００１０】
第１電気的インタフェースが、それぞれ第１プラグ側端部を備えるＮ１本の内側導体部品を包含して、Ｎ１≧３、特にＮ１＝４であり、第１内側導体部品の第１プラグ側端部が一平面上において辺がＮ１本の多角形の角に配設されることで、断面が円形である第１インタフェースの機械的インタフェース形状が得られる。
【００１１】
第１電気的インタフェースは、例えば、断面が円形または楕円形に構成された第１外側導体部品を有する。ゆえに、第１電気的インタフェースは対応の円形または楕円形のインタフェース輪郭に適合する。
【００１２】
第２電気的インタフェースが、それぞれの第２プラグ側端部を備えるＮ２本の内側導体部品を包含して、Ｎ２≧３、特にＮ２＝４であり、第２内側導体部品の第２プラグ側端部が一平面上において直線状に配設されることで、断面が本質的に矩形または多角形である第２インタフェースの機械的インタフェース形状が得られる。
【００１３】
第２電気的インタフェースは、例えば、断面が矩形または多角形である第２外側導体部品を有する。この手段により、第２電気的インタフェースは対応する矩形または多角形のインタフェース輪郭に適合する。
【００１４】
一例を挙げると、第１電気的インタフェースはＨＳＤインタフェース（ＨＳＤ‐ｈｉｇｈ  ｓｐｅｅｄ  ｄａｔａ：高速データ）として構成される。
【００１５】
好適な実施形態において、第２電気的インタフェースはＵＳＢインタフェースとして構成される。
【００１６】
少なくとも一つの第１内側導体部品がプラグ側端部でピンとして構成されることで、第１インタフェースにおける電気プラグ接点の簡単な製造が達成される。
【００１７】
少なくとも一つの第２内側導体部品がプラグ側端部でばね金属シート部品として構成されることで、第２インタフェースにおける電気接点の簡単な製造が達成される。
【００１８】
少なくとも一つの一体的内側導体部品が、プレス曲げ部品としての第１内側導体部品および第２内側導体部品で構成されることで、特に簡単かつ経済的な生産が達成される。
【００１９】
第１インタフェースの第１内側導体部品をプラグアダプタの第１プラグ側端部に局所的に固定するため、第１内側導体部品が中に保持されるとともに第１外側導体部品の中に配設される第１絶縁体を第１インタフェースが包含する。
【００２０】
第２インタフェースの第２内側導体部品をプラグアダプタの第２プラグ側端部に局所的に固定するため、第２内側導体部品が中に保持されるとともに第２外側導体部品の中に配設される第２絶縁体を第２インタフェースが包含する。
【図面の簡単な説明】
【００２１】
図面を参照して、以下、本発明がより詳細に説明される。
【図１】第１機械的インタフェース形状を有する第１プラグ側端部の斜視図において本発明によるプラグアダプタの好適な実施形態を示す。
【図２】第２機械的インタフェース形状を有する第２プラグ側端部の斜視図において図１のプラグアダプタを示す。
【図３】ハウジングを除いた分解図において図１のプラグアダプタを示す。
【図４】図３のプラグアダプタの内側導体部品の配置についての詳細図を示す。
【発明を実施するための形態】
【００２２】
図１から３に示された本発明によるプラグアダプタの好適な実施形態は、第１プラグ側端部１０と第２プラグ側端部１２とを包含する。図のように、特に図１および３において、第１プラグ側端部１０は、ＨＳＤ（ｈｉｇｈ  ｓｐｅｅｄ  ｄａｔａ：高速データ）インタフェースの形の第１機械的インタフェース形状を備える第１電気的インタフェースとして構成される。ゆえに第１プラグ側端部１０における第１電気的インタフェースは、４本の内側導体部品１４と１つの第１外側導体部品１６とを有する。特に図２および３から明白であるように、第２プラグ側端部１２は、第１機械的インタフェース形状と異なるＵＳＢインタフェースの形の第２機械的インタフェース形状を備える第２電気的インタフェースとして構成される。ゆえに第２プラグ側端部１２における第２電気的インタフェースは、４本の第２内側導体部品１８と１つの第２外側導体部品２０とを有する。第１および第２外側導体部品１６，２０は、相互一体的に構成される。
【００２３】
図１から４に示されたプラグアダプタの好適な実施形態は例示的なものに過ぎず、説明を単純にするため、ＨＳＤインタフェースとＵＳＢインタフェースとを備えるものとして示されている。「ＨＳＤインタフェース」または「ＨＳＤプラグ」および「ＵＳＢインタフェース」または「ＵＳＢカプラー」という表現は、考えられるあらゆるインタフェースまたは機械的インタフェース形状またはプラグまたはカプラーを表すものに過ぎない。
【００２４】
さらに、本発明によるプラグアダプタは、第１プラグ側端部１０においてＨＳＤプラグの機械的形状を備えるとともに第２プラグ側端部１２においてＵＳＢカプラーの機械的形状を備えて構成されたハウジング２２を包含する。第１内側導体部品１４および第１外側導体部品１６も、第１プラグ側端部１０においてＨＳＤプラグの機械的形状を有する。またさらに、第２内側導体部品１８および第２外側導体部品２０は、第２プラグ側端部１２においてＵＳＢカプラーの機械的形状を有する。
【００２５】
第１内側導体部品１４は、接点ピンが対応のＨＳＤカプラー（不図示）へ機械的に挿入されてＨＳＤカプラーと対応する電気的接点が設けられるように、プラグ側端部２４では接点ピンとして構成される。第２内側導体部品１８は、ばね金属シート部品が対応のＵＳＢプラグ（不図示）とともに機械的に差し込まれてＵＳＢプラグの接触面と対応する電気的接点が設けられるように、プラグ側端部２６ではばね金属シート部品として構成される。
【００２６】
第１外側導体部品１６の中に配設されるとともに、所定位置に固定された第１内側導体部品１４を保持する第１絶縁部品２８を、第１プラグ側端部１０の第１インタフェースは備えて構成される。ＨＳＤインタフェースの機械的インタフェース形状によれば、円形の線に沿って配置されるように第１内側導体部品１４が配設され、第１外側導体部品１６は、断面が丸く構成され、星型カッドのように配設された第１内側導体部品１４をスクリーニングとして囲繞する。第２プラグ側端部１２では、第２外側導体部品２０の中に配設されて、所定位置に固定された第２内側導体部品１８を保持する第２絶縁部品３０を、第２インタフェースが備えて構成される。ＵＳＢインタフェースの機械的インタフェース形状によれば、一つの平面上で直線状にプラグ側端部２６が配置されるように第２内側導体部品１８が配設され、第２外側導体部品２０は断面が矩形に構成されるとともに、第２内側導体部品１８をスクリーニングとして囲繞する。
【００２７】
第１内側導体部品１４および第２内側導体部品１８は、各事例において一体的内側導体部品としてともに構成される。このようにして、回路基板または他の補助的手段を必要とせずに、プラグアダプタのそれぞれのプラグ側端部１０，１２における二つの異なるインタフェースのそれぞれの接点の間に、直接的な電気接続が設けられる。
【００２８】
内側導体１４，１６を介して伝送される信号を第１および第２インタフェースのそれぞれの接点に正確に割り当てられるようにするため、図４に示しているように、それぞれの一体的な内側導体部品１４，１６は、プラグアダプタを通るそれぞれの機械的経路が異なるように構成される。ＨＳＤインタフェースの丸い形状がＵＳＢインタフェースの平面状または平坦な形状に変換される。一体的な内側導体部品１４，１６はシート金属部品として構成され、例えば、付加的な打抜き加工ステップを含むプレス曲げプロセスを用いて製造される。
【図１】
2013510410.tif 000003
【図２】
2013510410.tif 000004
【図３】
2013510410.tif 000005
【図４】
2013510410.tif 000006
【手続補正書】
【提出日】平成23年6月10日(2011.6.10)
【手続補正１】
【補正対象書類名】特許請求の範囲
【補正対象項目名】全文
【補正方法】変更
【補正の内容】
【特許請求の範囲】
【請求項１】
第１プラグ側端部（１０）と第２プラグ側端部（１２）とを有するプラグアダプタであって、前記第１プラグ側端部（１０）が、第１機械的インタフェース形状と少なくとも一つの第１内側導体部品（１４）および少なくとも一つの第１外側導体部品（１６）とを有する第１電気的インタフェースとして構成され、前記第２プラグ側端部（１２）が、第２機械的インタフェース形状と少なくとも一つの第２内側導体部品（１８）および少なくとも一つの第２外側導体部品（２０）とを有する第２電気的インタフェースとして構成されており、前記第１および第２機械的インタフェース形状が異なる設計を有するプラグアダプタにおいて、少なくとも一つの第１内側導体部品（１４）と一つの第２内側導体部品（１８）とがそれぞれ相互一体的に構成され、断面が円形または楕円形に構成された第１外側導体部品（１６）を前記第１電気的インタフェースが包含し、断面が矩形または多角形に構成された第２外側導体部品（２０）を前記第２電気的インタフェースが包含することを特徴とする、プラグアダプタ。
【請求項２】
それぞれ少なくとも一つの第１外側導体部品（１６）と一つの第２外側導体部品（２０）とが相互一体的に構成されることを特徴とする、請求項１に記載のプラグアダプタ。
【請求項３】
前記第１および第２電気的インタフェースの各々が４本の内側導体部品（１４，１８）を包含し、前記第１インタフェースの前記４本の第１内側導体部品（１４）の各々が前記第２インタフェースの第２内側導体部品（１８）の一つとそれぞれ相互一体的に構成されることを特徴とする、請求項１〜２の少なくとも一つに記載のプラグアダプタ。
【請求項４】
前記第１および第２電気的インタフェースが同数の内側導体部品（１４，１８）を有することを特徴とする、請求項１〜３の少なくとも一つに記載のプラグアダプタ。
【請求項５】
前記第１電気的インタフェースが、それぞれ第１プラグ側端部（２４）を備えるＮ１本の内側導体部品（１４）を包含して、Ｎ１≧３、特にＮ１＝４であり、前記第１内側導体部品（１４）の前記第１プラグ側端部（２４）が、一平面上において辺がＮ１本の多角形の角に配設されることを特徴とする、請求項１〜４の少なくとも一つに記載のプラグアダプタ。
【請求項６】
前記第２電気的インタフェースが、それぞれの第２プラグ側端部（２６）を備えるＮ２本の内側導体部品（１８）を包含してＮ２≧３、特にＮ２＝４であり、前記第２内側導体部品（１８）の前記第２プラグ側端部（２６）が一平面上において直線状に配設されることを特徴とする、請求項１〜５の少なくとも一つに記載のプラグアダプタ。
【請求項７】
前記第１電気的インタフェースがＨＳＤ（ｈｉｇｈ  ｓｐｅｅｄ  ｄａｔａ：高速データ）インタフェースとして構成されることを特徴とする、請求項１〜６の少なくとも一つに記載のプラグアダプタ。
【請求項８】
前記第２電気的インタフェースがＵＳＢ（ｕｎｉｖｅｒｓａｌ  ｓｅｒｉａｌ  ｂｕｓ：汎用シリアルバス）インタフェースとして構成されることを特徴とする、請求項１〜７の少なくとも一つに記載のプラグアダプタ。
【請求項９】
少なくとも一つの第１内側導体部品（１４）が前記プラグ側端部（２４）においてピンとして構成されることを特徴とする、請求項１〜８の少なくとも一つに記載のプラグアダプタ。
【請求項１０】
少なくとも一つの第２内側導体部品（１８）がプラグ側端部（２６）においてばね金属シート部品として構成されることを特徴とする、請求項１〜９の少なくとも一つに記載のプラグアダプタ。
【請求項１１】
少なくとも一つの一体的内側導体部品がプレス曲げ部品としての第１内側導体部品（１４）および第２内側導体部品（１８）で構成されることを特徴とする、請求項１〜１０の少なくとも一つに記載のプラグアダプタ。
【請求項１２】
前記第１内側導体部品（１４）が中に保持されるとともに前記第１外側導体部品（１６）の中に配設される第１絶縁体（２８）を、前記第１インタフェースが包含することを特徴とする、請求項１〜１１の少なくとも一つに記載のプラグアダプタ。
【請求項１３】
前記第２内側導体部品（１８）が中に保持されるとともに前記第２外側導体部品（２０）の中に配設される第２絶縁体（３０）を、前記第２インタフェースが包含することを特徴とする、請求項１〜１２の少なくとも一つに記載のプラグアダプタ。
【手続補正書】
【提出日】平成24年9月19日(2012.9.19)
【手続補正１】
【補正対象書類名】明細書
【補正対象項目名】００２８
【補正方法】変更
【補正の内容】
【００２８】
内側導体１４，１８を介して伝送される信号を第１および第２インタフェースのそれぞれの接点に正確に割り当てられるようにするため、図４に示しているように、それぞれの一体的な内側導体部品１４，１８は、プラグアダプタを通るそれぞれの機械的経路が異なるように構成される。ＨＳＤインタフェースの丸い形状がＵＳＢインタフェースの平面状または平坦な形状に変換される。一体的な内側導体部品１４，１８はシート金属部品として構成され、例えば、付加的な打抜き加工ステップを含むプレス曲げプロセスを用いて製造される。
【国際調査報告】
2013510410.tif 000007
2013510410.tif 000008
2013510410.tif 000009
2013510410.tif 000010
2013510410.tif 000011
2013510410.tif 000012